(57)【要約】【課題】本体が開けられた状態で着信があった場合に、大きな音量の着信音が鳴動することがない折り畳み式携帯電話機を得る。【解決手段】着信時において、本体の開閉を検出する開閉検出回路１の出力で本体が開いていると判定された場合は、制御回路２からゲイン調整回路４を制御し、着信音の音量を本体が閉じていると判定された場合よりも小さい音量となるようにして、音源回路３をスタートさせ、増幅回路５を介してスピーカ６より着信音の鳴動を開始する。【選択図】          図１
2004173049.tif 000002
【特許請求の範囲】
【請求項１】
折り畳み可能な本体と、
この本体の開閉を検出する開閉検出手段と、
着信を報知するための着信音を発生させるスピーカと、
前記本体が閉じている状態で着信した時は、前記着信音を第１の音量で鳴動させ、前記本体が開いている状態で着信した時は、前記着信音を前記第１の音量よりも小さくした第２の音量で鳴動させる制御回路とを備えたことを特徴とする折り畳み式携帯電話機。
【請求項２】
制御回路は、本体が開いている状態で着信した時は、所定の期間は着信音を第２の音量で鳴動させ、前記所定の期間経過後は前記着信音を第１の音量で鳴動させることを特徴とする請求項１記載の折り畳み式携帯電話機。
【請求項３】
制御回路は、本体が開いている状態で着信した時は、着信音を最小値から所定の期間中は時間の経過と共に着信音の音量を徐々に大きくしていくことを特徴とする請求項１記載の折り畳み式携帯電話機。
【請求項４】
折り畳み可能な本体と、
この本体の開閉を検出する開閉検出手段と、
着信を報知するための着信音を発生させるスピーカと、
前記本体が閉じている状態で着信した時は、第１の着信音を鳴動させ、前記本体が開いている状態で着信した時は、前記着信音を前記第１の着信音と異なる音もしくは音声による第２の着信音を鳴動させる制御回路とを備えたことを特徴とする折り畳み式携帯電話機。
【請求項５】
折り畳み可能な本体と、
この本体の開閉を検出する開閉検出手段と、
着信を報知するための着信音を発生させるスピーカと、
着信時に着信を報知するための振動を発生する振動発生器と、
前記本体が閉じている状態で着信した時は、着信音を鳴動させ、前記本体が開いている状態で着信した時は、前記振動発生器を動作させる制御回路とを備えたことを特徴とする折り畳み式携帯電話機。
【発明の詳細な説明】
【０００１】
【発明の属する技術分野】
本発明は、本体が開いた状態で通話および各動作を行う折り畳み式携帯電話機に関するものである。
【０００２】
【従来の技術】
従来の折り畳み式携帯電話機においては、折畳み可能な本体が開かれたことを検出する開閉検出手段を備え、本体が開かれたことが検出されたときに、着信音を停止させあるいは該音量を低下させる構成にしている。（例えば、特許文献１参照）。
【０００３】
【特許文献１】
特開平８−３０７４８８号公報（第１頁）
【０００４】
【発明が解決しようとする課題】
携帯電話機では、着信があれば使用者に着信があったことを知らすために着信音を発生させる。携帯電話機未使用（待ち受け）時、携帯電話機は通常使用者の服のポケットやバッグの中に入れられている場合が多く、着信音の音量は、上記の場合も想定して使用者に確実に着信を知らせることができるのに十分な大きさに設定されている。さらに、折り畳み式携帯電話機において、着信音の発生手段が本体を閉じた状態で本体内側に配置されるような場合は、より大きな音量で着信音を発生させる必要がある。いずれにしても本体が開けられた状態で鳴動する着信音の音量が大きすぎて、使用者または周辺の人に過度の不快感を与える可能性があった。
【０００５】
そこで、従来の折り畳み式携帯電話機では、着信後に本体が開かれたことが検出されたときは、着信音を停止させあるいは該音量を低下させるようにしたが、本体が開けられた状態で着信があった場合については考慮されておらず、この場合は使用者が何らかの動作を行っていることが想定されるにも関わらず、突然大きな音量の着信音が鳴動することになり、使用者または周辺の人に過度の不快感を与えてしまうことになり得るという問題点があった。
【０００６】
この発明は、上述のような課題を解決するためになされたもので、本体が開けられた状態で着信があった場合に、突然大きな音量の着信音が鳴動することがない折り畳み式携帯電話機を得るものである。
【０００７】
【課題を解決するための手段】
この発明に係る折り畳み式携帯電話機においては、折り畳み可能な本体と、この本体の開閉を検出する開閉検出手段と、着信を報知するための着信音を発生させるスピーカと、前記本体が閉じている状態で着信した時は、前記着信音を第１の音量で鳴動させ、前記本体が開いている状態で着信した時は、前記着信音を前記第１の音量よりも小さくした第２の音量で鳴動させる制御回路とを備えるようにしたものである。
【０００８】
【発明の実施の形態】
実施の形態１．
この発明の実施の形態１における折り畳み式携帯電話機を図１〜図４に基づいて説明する。図１はブロック図で、図１において、携帯電話機本体の開閉状態は開閉検出回路１で検出され、この開閉検出回路１からの信号により本体の開閉状態を判定および携帯電話機内の各動作の制御、時間情報を制御回路２で管理する。着信音等の各種音は音源回路３に保有され、この音源回路３から出力される音源の音量は、制御回路２により制御されるゲイン調整回路４で調整する。ゲイン調整回路４から出力された音の電気信号は増幅回路５を介してスピーカ６で音に変換される。
【０００９】
図２は携帯電話機本体を開いた状態を示し、図３は携帯電話機本体を閉じた状態を示している。図２及び図３において、第１の本体ケース１１の表面上部には、磁気センサ素子１３とスピーカ６が設けられている。また、第２の本体ケース１２の表面上部には、磁気センサ素子１３に対応する磁石１４が設けられている。携帯電話機本体を閉じた状態では、磁石１４からの磁力を合い重なる位置に設けられた磁気センサ素子１３が認識してスイッチングすることで開閉検出を行うことができる。従って、磁気センサ素子１３と磁石１４とで本体の開閉を検出する開閉検出回路１を構成する。
【００１０】
図４は着信から通話状態になるまでの動作を示すフローチャート図である。待受状態の携帯電話機に着信があれば（ステップＳ２１）、まず始めに制御回路２は開閉検出回路１からの信号で携帯電話機本体の開閉状態を判定する（ステップＳ２２）。
【００１１】
ステップＳ２２で本体が閉じていると判定された場合は、制御回路２からゲイン調整回路４を制御して、使用者に確実に着信を知らすことができる着信音の音量（第１の音量）となるように制御する（ステップ３２）。次いで音源回路３をスタートさせ（ステップ３３）、増幅回路５を介してスピーカ６より上記第１の音量で着信音の鳴動を開始する（ステップ３４）。その後、オフフックを判定し（ステップＳ３５）、オフフックならば着信音を停止させ（ステップＳ３０）、通話状態へ移行する（ステップＳ３１）。なお、オフフックは例えば携帯電話機の通話ボタンが押されたかどうかで判定される。また、上記第１の音量は、着信音を発生するスピーカ６が本体内側に配置される場合は、本体外側に配置される場合に比べ、より大きな音量に設定される。
【００１２】
ステップＳ２２で本体が開いていると判定された場合は、制御回路２からゲイン調整回路４を制御して、着信音の音量が上記第１の音量よりも小さい所定の音量（第２の音量）となるように制御する（ステップ２３）。次いで音源回路３をスタートさせ（ステップ２４）、増幅回路５を介してスピーカ６より上記第２の音量で着信音の鳴動を開始する（ステップ２５）。その後、オフフックを判定し（ステップＳ２６）、オフフックならば着信音を停止させ（ステップＳ３０）、通話状態へ移行する（ステップＳ３１）。
【００１３】
ステップ２６にてオフフックでない場合は、制御回路２にて着信音の鳴動時間を判定し（ステップＳ２７）、一定時間を経過した場合は、制御回路２からゲイン調整回路４を制御して、鳴動中の着信音の音量を上記第２の音量から上記第１の音量となるように制御し（ステップＳ２８）、その後、オフフックを判定し（ステップＳ２９）、オフフックならば着信音を停止させ（ステップＳ３０）、通話状態へ移行する（ステップＳ３１）。また、ステップ２７にて一定時間を経過していない場合は、再びステップ２６へ移行する。
【００１４】
上記のように、スピーカとリンガーを兼用した折り畳み式携帯電話機において、待受状態で着信があった時点における本体の開閉状態を判定し、本体が開けられた状態で着信があった場合は、本体が閉じた状態で着信があった場合に比べて着信音の音量を小さくすることで、使用者が本体を開けて何らかの動作を行っているときに突然大きな音量の着信音が鳴動することがないようにすることができる。
【００１５】
実施の形態２．
図５は実施の形態２の折り畳み式携帯電話機における着信から通話状態になるまでの動作を示すフローチャート図である。なお、ブロック図及び本体構成は、実施の形態１の図１および図２と同様である。待受状態の携帯電話機に着信があれば（ステップＳ４１）、まず始めに制御回路２は開閉検出回路１からの信号で携帯電話機本体の開閉状態を判定する（ステップＳ４２）。
【００１６】
ステップＳ４２で本体が閉じていると判定された場合は、上記実施の形態１と同様の動作で、制御回路２からゲイン調整回路４を制御して、使用者に確実に着信を知らすことができる着信音の音量（第１の音量）となるように制御する（ステップＳ５４）。次いで音源回路３をスタートさせ（ステップＳ５５）、増幅回路５を介してスピーカ６より上記第１の音量で着信音の鳴動を開始する（ステップＳ５６）。その後、オフフックを判定し（ステップＳ５７）、オフフックならば着信音を停止させ（ステップＳ５２）、通話状態へ移行する（ステップＳ５３）。
【００１７】
ステップＳ４２で本体が開いていると判定された場合は、制御回路２からゲイン調整回路４を制御して、着信音の音量が最小ゲインとなるように制御する（ステップＳ４３）。次いで音源回路３をスタートさせ（ステップＳ４４）、増幅回路５を介してスピーカ６より最小ゲイン音量で着信音の鳴動を開始する（ステップＳ４５）。その後、オフフックを判定し（ステップＳ４６）、オフフックならば最小ゲインのまま着信音を停止させ（ステップＳ５２）、通話状態へ移行する（ステップＳ５３）。
【００１８】
ステップＳ４６にてオフフックでない場合、制御回路２にて音量を徐々に（段階的に）大きくする単位時間の経過を判定し（ステップＳ４７）、音量を大きくする単位時間が経過した場合は、制御回路２からゲイン調整回路４を制御して、音量を時間の経過に対応した分だけ大きくし（ステップＳ４８）、音量を大きくする時間に達していない場合は、音量は現状のままとして次ぎのステップＳ４９へ移行する。例えば音量を大きくする単位時間を５秒間とした場合、着信音の鳴動開始から５秒間は最小ゲインの音量で鳴動、次ぎの５秒間は最小ゲインから１段階大きくした音量で鳴動、さらに次ぎの５秒間は最小ゲインから２段階大きくした音量で鳴動させるというように、ステップＳ４６でオフフックがなければ、５秒間経過する毎に、段階的に着信音の音量を大きくする。
【００１９】
また、制御回路２は着信音の鳴動開始からのトータルの鳴動時間も判定し（ステップＳ４９）、一定時間を経過した場合は制御回路２からゲイン調整回路４を制御して、ステップＳ４２で本体が閉じていた場合と同じ第１の音量となるように制御する（ステップＳ５０）。その後、オフフックを判定し（ステップＳ５１）、オフフックならば着信音を停止させ（ステップＳ５２）、通話状態へ移行する（ステップＳ５３）。なお、ステップＳ４９にて一定時間を経過していない場合は、再びステップＳ４６へ移行するが、ステップＳ４８にて音量を大きくする制御を実施した場合は、再びステップ４６へ移行した際にオフフックであった場合は、最小ゲインでなく、大きくなった分の音量のまま着信音を停止させ（ステップＳ５２）、通話状態へ移行する（ステップＳ５３）。
【００２０】
上記のように、スピーカとリンガーを兼用した折り畳み式携帯電話機において、待受状態で着信があった時点における本体の開閉状態を判定し、本体が開けられた状態で着信があった場合は、最小ゲインから着信音の鳴動を開始し、時間の経過と共に着信音の音量を徐々に大きくしていくことで、使用者が本体を開けて何らかの動作を行っているときに突然大きな音量の着信音が鳴動することを防止できるとともに、使用者に確実に着信を知らすことができる。
【００２１】
発明の実施形態３．
図６は実施の形態３の折り畳み式携帯電話機における着信から通話状態になるまでの動作を示すフローチャート図である。なお、ブロック図及び本体構成は、実施の形態１の図１および図２と同様である。待受状態の携帯電話機に着信があれば（ステップＳ６１）、まず始めに制御回路２は開閉検出回路１からの信号で携帯電話機本体の開閉状態を判定する（ステップＳ６２）。
【００２２】
ステップＳ６２で本体が閉じていると判定された場合は、制御回路２からゲイン調整回路４を制御して、使用者に確実に着信を知らすことができる着信音の音量（第１の音量）となるように制御する（ステップＳ７５）。次いで音源回路３に所定の着信音の音（第１種音）を設定してスタートさせる（ステップＳ７６）。通常この第１種音は使用者に着信音としてよく聞こえるように音圧レベルが高いものに設定される。次いで増幅回路５を介してスピーカ６より上記第１の音量及び第１種音で着信音の鳴動を開始する（ステップＳ７７）。その後、オフフックを判定し（ステップＳ７８）、オフフックならば着信音を停止させ（ステップＳ７３）、通話状態へ移行する（ステップＳ７４）。
【００２３】
ステップＳ６２で本体が開いていると判定された場合は、制御回路２からゲイン調整回路４を制御して、着信音の音量が上記第１の音量よりも小さい所定の音量（第２の音量）となるように制御する（ステップＳ６３）。次いで音源回路３には着信音として上記第１種音より音圧レベルが低い上記第１種音とは異なる音もしくは音声（第２種音）を設定してスタートさせ（ステップＳ６４）、増幅回路５を介してスピーカ６より上記第２の音量及び第２種音で着信音の鳴動を開始する（ステップＳ６５）。その後、オフフックを判定し（ステップＳ６６）、オフフックならば着信音を停止させ（ステップＳ７３）、通話状態へ移行する（ステップＳ７４）。
【００２４】
ステップＳ６６にてオフフックでない場合は、制御回路２にて着信音の鳴動時間を判定し（ステップＳ６７）、一定時間を経過した場合は、音源回路３にて設定されていた上記第２種音の設定をストップする（ステップＳ６８）。次いで制御回路２からゲイン調整回路４を制御して、鳴動中の着信音の音量を上記第２の音量から上記第１の音量となるように制御し（ステップＳ６９）、音源回路３には上記第１種音を設定してスタートさせる（ステップＳ７０）。次いで増幅回路５を介してスピーカ６より上記第１の音量及び第１種音で着信音の鳴動を開始する（ステップＳ７１）。その後、オフフックを判定し（ステップＳ７２）、オフフックならば着信音を停止させ（ステップＳ７３）、通話状態へ移行する（ステップＳ７４）。また、ステップＳ６７にて一定時間を経過していない場合は、再びステップ６６へ移行する。
【００２５】
上記のように、スピーカとリンガーを兼用した折り畳み式携帯電話機において、待受状態で着信があった時点における本体の開閉状態を判定し、本体が開けられた状態で着信があった場合は、本体が閉じた状態で着信があった場合に比べて着信音の音量を小さくするとともに、音質を変える（音圧レベルを低くする）ことで、使用者が本体を開けて何らかの動作を行っているときに突然大きな音量および音圧レベルの高い着信音が鳴動することがないようにすることができる。
【００２６】
実施の形態４．
図７、図８はこの発明の実施の形態４における折り畳み式携帯電話機のブロック図およびフローチャート図である。上記実施の形態１〜実施の形態３では、着信時における本体の開閉状態の判定結果に応じて、着信音の音量または音質を制御するようにしたが、この実施の形態４では、携帯電話機本体の振動または着信音の鳴動により着信を使用者に知らせるようにしたものである。図７において、携帯電話機本体の開閉状態は開閉検出回路１で検出され、この開閉検出回路１からの信号により本体の開閉状態を判定および携帯電話機内の各動作の制御、時間情報を制御回路２で管理する。着信音等の各種音は音源回路３に保有され、この音源回路３から出力される音源の音量は、制御回路２により制御されるゲイン調整回路４で調整する。ゲイン調整回路４から出力された音の電気信号は増幅回路５を介してスピーカ６で音に変換される。また、着信を携帯電話機本体の振動で使用者に知らせる振動発生器７は駆動回路８を介して制御回路２により制御され、着信を携帯電話機本体の振動で使用者に知らせることができる。
【００２７】
図８は着信から通話状態になるまでの動作を示すフローチャート図である。待受状態の携帯電話機に着信があれば（ステップＳ９１）、まず始めに制御回路２は開閉検出回路１からの信号で携帯電話機本体の開閉状態を判定する（ステップＳ９２）。
【００２８】
ステップＳ９２で本体が閉じていると判定された場合は、制御回路２からゲイン調整回路４を制御して、使用者に確実に着信を知らすことができる着信音の音量を設定する（ステップＳ１０４）。次いで音源回路３をスタートさせ（ステップ１０５）、増幅回路５を介してスピーカ６より着信音の鳴動を開始する（ステップ１０６）。その後、オフフックを判定し（ステップＳ１０７）、オフフックならば着信音を停止させ（ステップＳ１０２）、通話状態へ移行する（ステップＳ１０３）。
【００２９】
ステップＳ９２で本体が開いていると判定された場合は、制御回路２から駆動回路８を制御して振動発生器７の駆動を開始する（ステップＳ９３）。その後、オフフックを判定し（ステップＳ９４）、オフフックならば振動発生器７の駆動を停止させ（ステップＳ１０１）、通話状態へ移行する（ステップＳ１０３）。
【００３０】
ステップ９４にてオフフックでない場合は、制御回路２にて振動発生器７の駆動時間を判定し（ステップＳ９５）、一定時間を経過した場合は、振動発生器７の駆動を停止させ（ステップＳ９６）、制御回路２からゲイン調整回路４を制御して、着信音の音量を設定する（ステップＳ９７）。次いで音源回路３をスタートさせ（ステップＳ９８）、増幅回路５を介してスピーカ６より着信音の鳴動を開始する（ステップＳ９９）。その後、オフフックを判定し（ステップＳ１００）、オフフックならば着信音を停止させ（ステップＳ１０２）、通話状態へ移行する（ステップＳ１０３）。
【００３１】
上記のように、折り畳み式携帯電話機において、待受状態で着信があった時点における本体の開閉状態を判定し、本体が開けられた状態で着信があった場合は、振動発生器を駆動させることで、着信を使用者に通知するようにしたので、使用者が本体を開けて何らかの動作を行っているときに突然大きな音量の着信音が鳴動することがないようにすることができる。
【００３２】
【発明の効果】
以上のように、この発明によれば、折り畳み可能な本体と、この本体の開閉を検出する開閉検出手段と、着信を報知するための着信音を発生させるスピーカと、前記本体が閉じている状態で着信した時は、前記着信音を第１の音量で鳴動させ、前記本体が開いている状態で着信した時は、前記着信音を前記第１の音量よりも小さくした第２の音量で鳴動させる制御回路を備えたことにより、本体が開けられた状態で着信があった場合に、突然大きな音量の着信音が鳴動することがなく、使用者の使用状況を考慮した着信音による着信の通知を可能とした折り畳み式携帯電話機を得ることができる。
【図面の簡単な説明】
【図１】本発明の実施の形態１における折り畳み式携帯電話機のブロック図である。
【図２】本発明の実施の形態１における折り畳み式携帯電話機の本体を開いた状態を示す斜視図である。
【図３】本発明の実施の形態１における折り畳み式携帯電話機の本体を閉じた状態を示す一部断面側面図である。
【図４】本発明の実施の形態１における着信から通話状態になるまでの動作を示すフローチャート図である。
【図５】本発明の実施の形態２における着信から通話状態になるまでの動作を示すフローチャート図である。
【図６】本発明の実施の形態３における着信から通話状態になるまでの動作を示すフローチャート図である。
【図７】本発明の実施の形態４における折り畳み式携帯電話機のブロック図である。
【図８】本発明の実施の形態４における着信から通話状態になるまでの動作を示すフローチャート図である。
【符号の説明】
１  開閉検出回路
２  制御回路
３  音源回路
４  ゲイン調整回路
５  増幅回路
６  スピーカ
７  振動発生器
８  駆動回路
【図１】
2004173049.tif 000003
【図２】
2004173049.tif 000004
【図３】
2004173049.tif 000005
【図４】
2004173049.tif 000006
【図５】
2004173049.tif 000007
【図６】
2004173049.tif 000008
【図７】
2004173049.tif 000009
【図８】
2004173049.tif 000010